(57)【要約】【課題】平面鏡の一部を凹面鏡に変化させることができる性能の優れた鏡を提供する。【解決手段】  平面鏡の一部に凹面鏡に変化させる部分を設けたものであって、平面を有し該平面内に設けられた窪み部３を有すると共に、窪み部３内に前記凹面鏡に変化させる部分４に相当する段差部４を備えた基部２平面に、曲率変化可能な鏡面シート７を気密状態に張設して鏡面シート７と窪み部３及び段差部とによる気密空間Ｓを形成し、前記基部２に気密空間に連通する孔８を設け、該孔８から減圧装置により空気を抜いたり戻したりするようにしたことを特徴とする。【選択図】  図２
2011004995.tif 000002
【特許請求の範囲】
【請求項１】
平面鏡の一部に凹面鏡に変化させる部分を設けたものであって、平面を有し該平面
内に設けられた窪み部を有すると共に、窪み部内に前記凹面鏡に変化させる部分に相当する段差部を備えた基部の平面に、曲率変化可能な鏡面シートを気密状態に張設して鏡面シートと窪み部及び段差部とによる気密空間を形成し、前記基部に気密空間に連通する孔を設け、該孔から減圧装置により空気を抜いたり戻したりするようにしたことを特徴とする鏡
【請求項２】
前記段差部のエッジに、柔軟材料製のシールを配設したことを特徴とする請求項２の鏡。
【請求項３】
前記減圧装置に、圧力調整弁の開閉により気密状態が大気圧と適宜同調することができる手段を組込んだことを特徴とする請求項１又は２の鏡。
【発明の詳細な説明】
【技術分野】
【０００１】
この発明は、化粧用あるいは髭剃り用等に使用する鏡に関するものである。
【背景技術】
【０００２】
従来より、化粧あるいは髭剃り等を行なう場合、鏡が不可欠で種々の鏡が使用されている。これらの用途に用いる鏡としては、平面鏡が一般的であるが、凹面鏡等として使用することが必要な場合がある。
このために、鏡の両面を用い一方を平面鏡、他方を凹面鏡とし、目的に応じて反転させて使用する鏡が、古くからホテル等で用いられているし、また鏡の一部に凹面鏡部を設けて、その部分を凹面鏡として使用することができる鏡も知られている。
【先行技術文献】
【特許文献】
【０００３】
【特許文献１】特開平１０−１６５２７３号公報
【０００４】
【非特許文献１】Arthur L. Palisoc(L’Garde,Inc.)、”Large Telescope Using a Holographically-Corrected Membrane Mirror”、[Online]、June 6-7,2000、[平成２１年６月３日検索]、インターネット、<URL: 1245971619437_0.pdf
【発明の概要】
【発明が解決しようとする課題】
【０００５】
前記の先行技術文献のうち、特許文献１に示された可変ミラーは、周縁部をフレームに支持された可撓性鏡面板の中央部を、スライドする軸とカムを組合わせた調節機構を操作ハンドルの回転により作動させ、平面鏡、凹面鏡、凸面鏡に切り替えるもので、手鏡等として用いられるものである。
このように板状の鏡面材を用いてこの曲率を変化させる場合、特許文献１のように鏡面板に直接力を加えると、力を加えた箇所とそうでない箇所との曲率の変化に微妙な差ができて鏡面が歪むおそれがあり、また機械的に曲率を変えるためある程度曲率の変化を段階的にせざるを得ない場合も生じ、任意の曲率が選びにくい面もある。
【０００６】
一方非特許文献1には、曲率変化が可能な鏡面シートを気体の圧力で変形させて一種の凹面鏡や凸面鏡とし、大型の反射望遠鏡に利用する技術が開示されている。この技術によれば、前記特許文献1に開示された鏡とは異なり、鏡面シートに非接触な状態で変化させることができるため、鏡面が歪んだり曲率変化が段階的になるという惧れはなくなる。
【０００７】
本発明は、非特許文献１の着想と同様に、気体を巧みに利用し、鏡面に非接触の状態で曲面が変化できる機構を採用するものであるが、このような大規模な光学装置に用いるものではなく、身近で手軽に用いることができる鏡について検討した結果、曲率変化が可能な鏡面シートを気密状態に張設して気密空間を形成すると共に、この空間の圧力を変化させ、しかも平面鏡の一部を凹面鏡に可変させて使用することができる鏡を提供しようとするものである。
【課題を解決するための手段】
【０００８】
本発明は前記の如き状況に鑑み、その要旨とするところは、平面鏡の一部に凹面鏡に変化させる部分を設けたものであって、平面を有し該平面内に設けられた窪み部を有すると共に、窪み部内に前記凹面鏡に変化させる部分に相当する段差部を備えた基部の平面に、曲率変化可能な鏡面シートを気密状態に張設して鏡面シートと窪み部及び段差部とによる気密空間を形成し、前記基部に該気密空間に連通する孔を設け、該孔から減圧装置により空気を抜いたり戻したりするようにしたことを特徴とする鏡に係るものである。また本発明は、前記段差部のエッジに柔軟材料製のシールを配設したことを特徴とするもので、さらに本発明は、前記減圧装置に圧力調整弁の開閉により気密状態が大気圧と適宜同調することができる手段を組込んだことも特徴とするものである。
【発明の効果】
【０００９】
本発明は、平面鏡の一部に、凹面鏡に変化させる部分を設けたものであって、平面を有し該平面内に設けられた窪み部を有すると共に、窪み部内に前記凹面鏡に変化させる部分に相当する段差部を備えた基部の平面に、曲率変化可能な鏡面シートを気密状態に張設して鏡面シートと窪み部及び段差部による気密空間を形成し、前記基部に該気密空間に連通する孔を設け、該孔から減圧装置により空気を抜いたり戻したりするようにしたため、平面鏡の状態と凹面鏡の状態に、非接触で操作することができ、平面鏡としては、鏡面の全面に亘って均一で歪みのない状態で使用することができると共に、凹面鏡とした部分も歪みがない鏡として使用でき、しかもその構造上凹面を所望の曲面にすることができ、かつ簡単に操作できる利点があり、なおかつ構造を簡潔にして軽量化を図ることができるものである。
【００１０】
また本発明の請求項２の発明では、段差部のエッジに柔軟材料製のシールを配設してなるものであるから、段差部によって形成される空間をこの部分で区画し減圧したときの気密性を効率よく高め、このための操作性を高めることができる。
さらに請求項３の発明では、定常的に平面鏡の状態で用いることが多い鏡において、減圧装置に圧力調整弁を設けて大気圧と同調できるようにしているので、大気の圧力や温度が変化したときでも、鏡面の平面状態を保持することができる効果を有している。
【図面の簡単な説明】
【００１１】
【図１】本発明の一実施例を示す正面図である。
【図２】図１Ａ―Ａ線の断面図である。
【図３】図１の箇所と同様な位置で切断し、操作した状態を示す断面図である。
【図４】本発明の別の実施例における主要部の部分断面図である。
【図５】本発明のさらに別の実施例を示す正面図である。
【発明を実施するための形態】
【００１２】
以下本発明の実施の形態を図面に基づき説明する。
図１ないし図３は本発明の一実施例を示すもので、図1が正面図、図２が図1のＡ―Ａ線の断面図、図３は図1と同一の箇所で切断し図1の状態から操作した状態の断面図を示すものである。そしてこの例は、矩形状の鏡中央の一部に円形の凹面鏡に変化させることができる部分を形成した鏡に関するものである。
これら図において、１は枠部、２は枠部１と一体となって鏡本体を構成する基部で、後述するようにこれらによって鏡面シー７を保持するようになっている。
【００１３】
この状態を図２に基づいてさらに詳しく説明すると、基部２の平面には該平面内に窪み部３を有すると共に、この窪み部３内には前記凹面鏡に変化させる部分４に相当し、かつ窪み部３より段差のある段差部５を備えている。なお図中６は凹面鏡に変化させる部分４の境界線の輪郭に相当する堤状突起であり、この内側に段差部５が設けられており、さらに基材２の背面側には後述する減圧装置が収納されている。
曲率変化が可能な鏡面シート７は枠部１と基部２との周縁部分で凹凸嵌合部に挟まれ接着剤を使用して、弛みのない状態に保持されている。この結果、鏡面シート７と窪み部３及び段差部５とに気密空間Ｓが形成される。
【００１４】
以上のようにして形成された気密空間Ｓには、孔８が設けられ後述する孔１６とつながり大気と連通するようになっている。そして前記基部２の背面側には減圧装置を構成するシリンダー９とピストン１０が装備され、さらにこの例においては、気密空間Ｓが大気圧と同調することができる圧力調整弁が組込まれている。図中１２は、ピストン１０に取付けられたＯリング、１３はピストン１０をスライドさせる際に用いるレバーであり、また図中１４は圧力調整弁１１の開閉に用いられるバネ、１５は圧力調整弁１１の気密状態を保持するためのＯリング、１６は基部２に設けられた大気圧と連通させるための孔である。
図２の状態では、気密空間Ｓは大気圧と同調しているので、鏡面シート７は平面状態を保持しており、鏡面全面が平面鏡となっている。
【００１５】
図２の状態からピストン１０をレバー１１によって図右方向にスライドさせると、圧力調整弁１１はバネ１４の作用で閉の状態となり、鏡面シート７は徐々に下方に湾曲し円形の段差部５の堤状突起６に当接し、減圧によって鏡面シート７はさらに引張られて図３のように下方に凸の状態に曲率が変化する。このようになると、この範囲は凹面鏡の状態となり、平鏡面の一部に凹面鏡の部分が形成されたことになる。
そしてこの状態から、ピストン１０を図左方向にスライドさせると容易にもとの平面鏡の状態に戻すことが可能となる。
この実施例で明らかなように、本発明の鏡は鏡面シート７の段差部５に囲まれた部分を、鏡面シート７を減圧装置としてのピストン１０をスライドさせることで平面鏡と凹面鏡とを簡単な操作で随時変化させて使用できる特徴を有している。
【００１６】
なお本発明に使用する曲率変化が可能な鏡面シート７としては、例えば厚さ      ５〜５０μｍ程度の透明ポリエステルフィルムの内側面に、アルミ蒸着や銀等の鏡面膜を設けたシートが使用できる。また枠部１及び基部２としては、合成樹脂や軽合金の成形品が使用できる。
また鏡面シート７の曲率を変化させる減圧装置としては、この例ではシリンダー９とピストン１０からなる装置を用いているが、これらは鏡面シート７を所望の曲率に変化させるスライドができるように、金属あるいは合成樹脂によって製作した機構を組込むことで達成できる。
【００１７】
次の図４の例は、本発明の別の実施例を示すもので、その主要部のみを示している。同図において、鏡面シート７は前記実施例と同様に、枠部１と基部２とを用い、鏡面シート７と窪み基部３及び円形の段差部５とによって気密空間Ｓが形成できるように保持されている。この例の場合、曲率を変化させる段差部５のエッジに柔軟材料製のシール１７を配設しているので、段差部５に形成される空間を分断した格好となり、小さい減圧でも鏡面シート７がより多く撓み、限られた部分の曲率変化を効率よく行える利点がある。
この場合のシール１７は、この例ではＯリング様の柔軟材料を用いているが、この形状はこれに限られるものではなく、また段差部５のエッジに柔軟材料製の被覆剤を塗布するようにしてもよい。
【００１８】
さらに図５の例は、本発明を手鏡に適用した例を示しており、手鏡の枠部１８と基部(図示略)とによって鏡面シート７が弛みのない状態で保持されており、取っ手１９の内部に図２と同様な構成のシリンダー９とピストン１０およびそのレバー１３が組込まれていて、鏡面シート７と基部上面（図示略）との間は気密空間Ｓが設けられている。図中２０は、気密空間とシリンダー９とを繋ぐパイプである。
そして、鏡面には図１と同様な円形の段差部５が設けられ、この範囲が凹面鏡に変化できるようになっている。図中２１は鏡面シート７が下方に凸の状態になったときに、窪み部に設けた膨出部によって、鏡面シート７が当接することで形成させた２つの略三角状の表示部で、これによって前記段差部５の形状とで一種のキャラクターを表示できるようになっている。この表示は、図形、記号、文字などにするとよい。
この例で凹面鏡となる部分は円形であるが、平面鏡として楕円形の手鏡となっているが、本発明ではこのように平面鏡は任意の形状とすることができ、種々の変形が可能となる。
【００１９】
以上本発明について図示の例に基づいて説明したが、本発明はこれらの実施例に限定されるものではなく、鏡面シート７の前面に透明カバーを取付けたり、蓋を取付けたりすることもできる。また例えば前記曲率を変化させる減圧装置としては、種々の改変が可能であり、またシリンダーとピストンを組合わせた場合のピストンの位置決めをするためのストッパーを取り付けたりすることもできる。
なお本発明における凹面鏡とする境界線４の形状は、実施例の図の如く、円形にすることが鏡としての性能が最も適しているため好ましいが、目的によってはこの形状を若干変形させることも可能である。また図示の実施例で示している堤状突起６は、省略することも可能で、窪み部３からそのまま段差部５に落込んだエッジの形状にしても差し支えない。
【００２０】
Ｓ      気密空間
１      枠部
２      基部
３      窪み部
４      凹面鏡に変化させる部分  
５      段差部
６      堤状突起
７      鏡面シート
８      孔
９      シリンダー
１０    ピストン
１１    圧力調整弁
１２    Ｏリング
１３    レバー
１４    バネ
１５    Ｏリング
１６    孔
１７    シール
１８    枠部
１９    取っ手
２０    パイプ
２１    表示部
【図１】
2011004995.tif 000003
【図２】
2011004995.tif 000004
【図３】
2011004995.tif 000005
【図４】
2011004995.tif 000006
【図５】
2011004995.tif 000007